(57)【要約】【課題】機密保持の必要がある原稿に基づく画像を記録媒体に形成する場合には記録媒体に操作者の指紋に基づく画像を形成し、機密情報の必要がない原稿に基づく画像を記録媒体に形成する場合には記録媒体に操作者の指紋に基づく画像を形成しない画像形成装置を提供する。【解決手段】原稿が複写抑制原稿であると判定した場合に、画像読取部２０から出力される画像データと指紋読取部３０から出力される指紋データとを画像処理部２０において合成させ、原稿が複写抑制原稿ではないと判定した場合に、画像読取部２０から出力される画像データと指紋読取部３０から出力される指紋データとを画像処理部５０において合成させない。【選択図】図１
2008172482.tif 000002
【特許請求の範囲】
【請求項１】
原稿の画像を読み取る画像読取部と、
操作者の指紋を読み取る指紋読取部と、
前記画像読取部から出力される画像データと、前記指紋読取部から出力される指紋データとを合成可能な画像処理部と、
前記画像処理部から出力される画像データに基づいて記録媒体に画像を形成する画像形成部と、
前記画像読取部、前記指紋読取部、前記画像処理部、及び前記画像形成部を制御する制御部とを備え、
前記制御部は、
前記画像読取部から出力される画像データから前記原稿が複写抑制原稿であるか否かを判定し、
前記原稿が複写抑制原稿であると判定した場合に、前記画像読取部から出力される前記画像データと前記指紋読取部から出力される指紋データとを前記画像処理部において合成させ、
前記原稿が複写抑制原稿ではないと判定した場合に、前記画像読取部から出力される前記画像データと前記指紋読取部から出力される指紋データとを前記画像処理部において合成させない
ことを特徴とする画像形成装置。
【請求項２】
予め複写抑制データを記憶する記憶部を備え、
前記制御部は、予め記憶部に記憶された複写抑制データと、前記画像読取部から出力される画像データとを比較し、当該画像データから出力される画像データに前記複写抑制データが含まれる場合に、前記原稿が複写抑制原稿であると判定する
ことを特徴とする請求項１記載の画像形成装置。
【請求項３】
前記制御部は、
前記原稿が複写抑制原稿であると判定して前記画像処理部において前記画像データと前記指紋データとが合成された後、あるいは、前記原稿が複写抑制原稿でないと判定した後、前記指紋データを消去することを特徴とする請求項１または２記載の画像形成装置。
【請求項４】
前記制御部からの表示データに基づいて表示を行う表示部を備え、
前記制御部は、前記指紋データを消去した後に、前記指紋データを消去したことを示す前記表示データを前記表示部に入力する
ことを特徴とする請求項３記載の画像形成装置。
【請求項５】
前記画像処理部は、前記画像読取部から出力される前記画像データと前記指紋読取部から出力される指紋データとを合成する場合に、前記画像データに基づく画像と前記指紋データに基づく画像とが前記記録媒体上において重ならないように前記画像データと前記指紋データとを合成することを特徴とする請求項１〜４いずれかに記載の画像形成装置。
【請求項６】
前記指紋読取部は、読み取った操作者の指紋の固有情報を抽出して、該固有情報を前記指紋データとして出力することを特徴とする請求項１〜５いずれかに記載の画像形成装置。
【請求項７】
前記指紋読取部は、スタートキー直下に配置されるとともに前記操作者の指紋を撮像する撮像部を備えることを特徴とする請求項１〜６いずれかに記載の画像形成装置。
【発明の詳細な説明】
【技術分野】
【０００１】
本発明は、画像形成装置に関するものである。
【背景技術】
【０００２】
従来から、原稿に形成された画像を読み取り、この画像データに基づいて、印刷紙等の記録媒体に画像を形成する画像形成装置が知られている。
近年は、画像の読み取り精度や用紙への画像形成精度が向上し、原稿に形成された画像を高精度で複写することが可能となっている。
【０００３】
ところが、機密書類や、絵画や写真等の著作物などの、複写を制限する必要がある原稿もある。
従来の画像形成装置は、このような複写を制限する必要がある原稿であっても、容易に複写することができるため、不特定多数の人間が許可なく複写を行う虞があった。
【０００４】
このような問題に対して、特許文献１には、操作者の指紋の画像を取得して、取得した指紋に基づくデータを画像データと合成する画像形成装置が提案されている。
このような画像形成装置によれば、印刷紙に操作者の指紋に基づく画像が形成されるため、画像が形成された印刷紙から操作者が特定できる。よって、許可されていない者による複写を心理的に抑制することが可能となる。
【特許文献１】特開２０００−２１６９２６号公報
【発明の開示】
【発明が解決しようとする課題】
【０００５】
しかしながら、上述のような画像形成装置では、全ての印刷紙に対して操作者の指紋に基づく画像が形成されてしまう。このため、複写されようとする原稿が機密保持の必要のない原稿であっても、印刷紙に操作者の指紋に基づく画像が形成されてしまう。
印刷紙に操作者の指紋に基づく画像を形成する場合には、指紋に基づく画像によって、原稿に基づく画像（オリジナル画像）の一部が隠れたり、個人情報として管理する必要が生じたりするため、機密保持の必要のない原稿の複写が容易でなくなる。
【０００６】
本発明は、上述する問題点に鑑みてなされたもので、機密保持の必要がある原稿に基づく画像を記録媒体に形成する場合には記録媒体に操作者の指紋に基づく画像を形成し、機密情報の必要がない原稿に基づく画像を記録媒体に形成する場合には記録媒体に操作者の指紋に基づく画像を形成しない画像形成装置を提供することを目的とする。
【課題を解決するための手段】
【０００７】
上記目的を達成するために、本発明は、原稿の画像を読み取る画像読取部と、操作者の指紋を読み取る指紋読取部と、上記画像読取部から出力される画像データと、上記指紋読取部から出力される指紋データとを合成可能な画像処理部と、上記画像処理部から出力される画像データに基づいて記録媒体に画像を形成する画像形成部と、上記画像読取部、上記指紋読取部、上記画像処理部、及び上記画像形成部を制御する制御部とを備え、上記制御部が、上記画像読取部から出力される画像データから上記原稿が複写抑制原稿であるか否かを判定し、上記原稿が複写抑制原稿であると判定した場合に、上記画像読取部から出力される上記画像データと上記指紋読取部から出力される指紋データとを上記画像処理部において合成させ、上記原稿が複写抑制原稿ではないと判定した場合に、上記画像読取部から出力される上記画像データと上記指紋読取部から出力される指紋データとを上記画像処理部において合成させないことを特徴とする。
【０００８】
また、本発明においては、予め複写抑制データを記憶する記憶部を備え、上記制御部は、予め記憶部に記憶された複写抑制データと、上記画像読取部から出力される画像データとを比較し、当該画像データから出力される画像データに上記複写抑制データが含まれる場合に、上記原稿が複写抑制原稿であると判定するという構成を採用する。
【０００９】
また、本発明においては、上記制御部は、上記原稿が複写抑制原稿であると判定して上記画像処理部において上記画像データと上記指紋データとが合成された後、あるいは、上記原稿が複写抑制原稿でないと判定した後、上記指紋データを消去するという構成を採用する。
【００１０】
また、本発明においては、上記制御部からの表示データに基づいて表示を行う表示部を備え、上記制御部は、上記指紋データを消去した後に、上記指紋データを消去したことを示す上記表示データを上記表示部に入力するという構成を採用する。
【００１１】
また、本発明においては、上記画像処理部は、上記画像読取部から出力される上記画像データと上記指紋読取部から出力される指紋データとを合成する場合に、上記画像データに基づく画像と上記指紋データに基づく画像とが上記記録媒体上において重ならないように上記画像データと上記指紋データとを合成するという構成を採用する。
【００１２】
また、本発明においては、上記指紋読取部は、読み取った操作者の指紋の固有情報を抽出して、該固有情報を上記指紋データとして出力するという構成を採用する。
また、本発明においては、上記指紋読取部は、スタートキー直下に配置されるとともに上記操作者の指紋を撮像する撮像部を備えるという構成を採用する。
【発明の効果】
【００１３】
本発明によれば、画像読取部から出力される画像データから原稿が複写抑制原稿であるか否かが判定され、原稿が複写抑制原稿であると判定された場合には、画像読取部から出力される画像データと指紋読取部から出力される指紋データとが画像処理部において合成される。このため、画像処理部から出力される画像データには指紋データが含まれることとなり、印刷媒体に指紋データに基づく画像が形成される。
一方、原稿が複写抑制原稿でないと判定された場合には、画像読取部から出力される画像データと指紋読取部から出力される指紋データとが画像処理部において合成されない。このため、画像処理部から出力される画像データには指紋データが含まれてないこととなり、印刷媒体に指紋データに基づく画像が形成されない。
したがって、本発明によれば、機密保持の必要がある原稿（複写抑制原稿）に基づく画像を記録媒体に形成する場合には記録媒体に操作者の指紋に基づく画像を形成し、機密情報の必要がない原稿に基づく画像を記録媒体に形成する場合には記録媒体に操作者の指紋に基づく画像を形成しないようにすることができる。
【発明を実施するための最良の形態】
【００１４】
以下、図面を参照して、本発明に係る画像形成装置の一実施形態について説明する。
【００１５】
図１は、本実施形態における複写機１（画像形成装置）の機能構成を示すブロック図である。本複写機１は、操作表示部１０、画像読取部２０、指紋読取部３０、記憶部４０、画像処理部５０、印刷部６０（画像形成部）及び制御部７０を備えている。
【００１６】
操作表示部１０は、操作表示パネル１０ａ、操作中継部１０ｂ及び表示制御部１０ｃを備えている。図２は、操作表示パネル１０ａの外観を示す平面図である。操作表示パネル１０ａは、タッチパネル１１、スタートキー１２、ストップキー１３、テンキー１４、クリアキー１５及びリセットキー１６を備えている。
【００１７】
タッチパネル１１（表示部）は、例えば液晶ディスプレイ（ＬＣＤ）等の表示器とタッチセンサとを備えている。タッチセンサは、例えば容量結合方式のものや抵抗膜方式のものがあり、指やペン等による接触位置を検出する。このタッチパネル１１は、上記接触位置の座標を示す信号を操作中継部１０ｂに出力すると共に、表示制御部１０ｃから入力される画像信号に基づいた画像を表示器に表示する。
【００１８】
スタートキー１２は、印刷開始等の指示操作を受け付け、該操作を示す信号を操作中継部１０ｂに出力する。ストップキー１３は、印刷中止等の指示操作を受け付け、該操作を示す信号を操作中継部１０ｂに出力する。なお、本実施形態においてスタートキー１２は、透光性を有する材料によって形成されている。
テンキー１４は、数字指定入力操作を受け付け、該操作を示す信号を操作中継部１０ｂに出力する。クリアキー１５は、入力内容を消去する操作を受け付け、該操作を示す信号を操作中継部１０ｂに出力する。リセットキー１６は、設定を標準（デフォルト）に戻す操作を受け付け、該操作を示す信号を操作中継部１０ｂに出力する。
【００１９】
操作中継部１０ｂは、タッチパネル１１から操作者が触れた位置の座標を示す信号が入力されると、この信号に基づいて操作者の操作指示内容を判断し、該内容に応じた信号を制御部７０に出力する。また、操作中継部１０ｂは、操作表示パネル１０ａの各キー１２〜１６から入力される各種信号を制御部７０に出力する。
表示制御部１０ｃは、制御部７０から入力される表示データに基づいて生成した画像信号をタッチパネル１１に出力する。
【００２０】
画像読取部２０は、原稿自動送り装置（ＡＤＦ）２１及びスキャナ部２２を備えている。このような画像読取部２０は、制御部７０による制御の下に、原稿自動送り装置２１から供給された原稿の画像をスキャナ部２２で順次読み取り、原稿画像の画像データを記憶部４０に出力する。
【００２１】
指紋読取部３０は、ＣＣＤ（Charge Coupled Device）３１（撮像部）と、指紋データ生成部３２を供えている。
ＣＣＤ３１は、図２に示すスタートキー１２の直下に設置されており、スタートキー１２を押下する操作者の指の指紋を撮像し、この撮像データを出力するものである。指紋データ生成部３２は、制御部７０による制御の下に、ＣＣＤ３１から出力される撮像データから操作者の指紋の固有情報を抽出して、該固有情報を指紋データとして記憶部４０に出力する。
【００２２】
記憶部４０は、ハードディスク等の外部記憶装置及び／又は半導体メモリから構成されており、画像読取部２０から入力される原稿画像の画像データ及び指紋読取部３０から入力される指紋データとを関連付けて記憶する。この記憶部４０は、制御部７０による制御の下に、上記画像読取部２０からの画像データ及び上記指紋読取部３０からの指紋データの書き込みを行うと共に、当該画像データ及び指紋データを読み出して画像処理部５０に出力する。また、記憶部４０は、予め複写抑制データを記憶している。この複写抑制データは、複写を抑制する必要がある旨を示す画像の画像データ化したものである。具体的には、複写抑制データとしては、「秘」、「極秘」、「ＣＯＮＦＩＤＥＮＴＩＡＬ」等の文字やすかし記号等を画像データ化したものが挙げられる。
【００２３】
画像処理部５０は、制御部７０による制御の下に、記憶部４０から入力される画像データを印刷用の画像データに変換、あるいは、画像データ及び指紋データ合成して印刷用の画像データに画像変換して印刷部６０に出力する。
印刷部６０は、周知の給紙カセット、感光ドラム、露光装置、定着装置、排紙トレイ等を備えている。この印刷部６０は、制御部７０による制御の下に、印刷紙（記録媒体）を搬送しつつ当該印刷紙にトナーを付着させることにより、画像処理部５０から入力される印刷用の画像データに基づく印刷画像を印刷紙上に形成する。
【００２４】
制御部７０は、内部メモリ、ＣＰＵ（Central Processing Unit）、及び他の各部（つまり操作表示部１０、画像読取部２０、指紋読取部３０、記憶部４０、画像処理部５０、及び印刷部６０）とのデータ授受を行う各種入出力インタフェース回線等から構成され、複写機１の全体動作を制御するものである。
内部メモリは、制御プログラムを記憶している。ＣＰＵは、上記制御プログラムや各種制御用データ、操作中継部１０ｂから入力される信号等に基づいて制御演算を行うことによって、上記他の各部を統括的に制御する。
【００２５】
次に、本複写機１の動作について、図３のフローチャートを参照して説明する。
操作者が、原稿自動送り装置２１に原稿をセットし、操作表示パネルを用いて各種のコピー設定（例えば、印刷紙のサイズ設定や色の濃淡設定等）がされると、操作中継部１０ｂを介して上記コピー設定を示す信号が制御部７０に入力され、各種パラメータが設定される（ステップＳ１）。
【００２６】
その後、操作者がスタートキー１２を押下すると、操作中継部１０ｂは、スタートキー１２が押されたことを示す信号を制御部７０に出力する。
【００２７】
制御部７０は、操作中継部１０ｂからスタートキー１２が押されたことを示す信号が入力される（ステップＳ２）と、指紋読取部３０に操作者の指紋を読み取らせ、指紋データを記憶部４０に出力させる。
具体的には、制御部７０は、スタートキー１２の直下に設置されたＣＣＤ３１によって、スタートキー１２を押下する操作者の指紋を撮像し（読み取り）撮像データを取得する（ステップＳ３）。続いて、指紋データ生成部３２によって、ＣＣＤ３１にて取得された撮像データすなわち読み取られた撮像データから固有情報を抽出する（ステップＳ４）。そして、抽出された固有情報を指紋データとして出力し、指紋データを記憶部４０に記憶させることによって指紋データを取得する（ステップＳ５）。
【００２８】
また、制御部７０は、操作中継部１０ｂからスタートキー１２が押されたことを示す信号が入力される（ステップＳ２）後に、画像読取部２０に原稿画像を読み取らせ画像データを取得して出力させる（ステップＳ６）。
その後、制御部７０は、画像読取部２０から出力された画像データを解析する（ステップＳ７）。具体的には、制御部７０は、画像読取部２０から出力された画像データと、予め記憶部４０に記憶された複写抑制データとを比較して、画像データに複写抑制データが含まれているか否かを判定する。
【００２９】
画像データの解析の結果、画像データに複写抑制データが含まれている場合（ステップＳ８）には、制御部７０は、原稿が複写抑制原稿であると判定し、画像処理部５０にて、ステップＳ５にて取得した指紋データとステップＳ６にて取得した画像データとを合成させるとともに、画像変換させることによって印刷用の画像データを生成する（ステップＳ９）。
【００３０】
一方、画像データの解析の結果、画像データに複写抑制データが含まれていない場合（ステップＳ８）には、制御部７０は、原稿が複写抑制原稿ではないと判定し、画像処理部５０にて、ステップＳ６にて取得した画像データのみを画像変換させることによって印刷用の画像データを生成する（ステップＳ１０）。すなわち、制御部７０は、原稿が複写抑制原稿ではないと判定した場合には、画像処理部５０にて、画像読取部２０から出力される画像データと、指紋読取部３０から出力される指紋データとを合成させない。
【００３１】
続いて制御部７０は、画像処理部５０にて生成された印刷用の画像データを印刷部６０に入力する。そして制御部７０は、印刷部６０に、印刷紙を搬送しつつ当該印刷紙にトナーを付着させることにより、上記画像データに基づいた印刷画像を印刷紙上に形成させて、印刷物を複写機１の外部へ排出させる（ステップＳ１１）。
なお、本実施形態において、原稿が複写抑制原稿である場合（ステップＳ８において画像データに複写抑制データが含まれている場合）には、図４（ａ）に示すように、印刷紙Ｙには、画像データに基づく画像上の一部に指紋データに基づく画像（図４においては、指紋画像そのもの）が形成される。また、原稿が複写抑制原稿ではない場合（ステップＳ８において画像データに複写抑制データが含まれていない場合）には、図４（ｂ）に示すように、印刷紙Ｙには、画像データに基づく画像のみが形成される。
【００３２】
次に、制御部７０は、記憶部４０に記憶されたステップＳ５にて取得した指紋データを消去する（ステップＳ１２）。その後、制御部７０は、指紋データを消去したことを示す表示データを操作表示部１０に入力する。この結果、表示制御部１０ｃにおいて表示データに基づいて画像信号が生成され、当該画像信号が操作表示パネル１０ａのタッチパネル１１に入力されることによって、タッチパネル１１上には、指紋データを消去した旨が表示される（ステップＳ１３）。
【００３３】
このような本実施形態の複写機１によれば、画像読取部２０から出力される画像データから原稿が複写抑制原稿であるか否かが判定され、原稿が複写抑制原稿であると判定された場合には、画像読取部２０から出力される画像データと指紋読取部３０から出力される指紋データとが画像処理部５０において合成される。このため、画像処理部５０から出力される画像データには指紋データが含まれることとなり、印刷紙Ｙに指紋データに基づく画像が形成される。
一方、原稿が複写抑制原稿でないと判定された場合には、画像読取部２０から出力される画像データと指紋読取部３０から出力される指紋データとが画像処理部５０において合成されない。このため、画像処理部２０から出力される画像データには指紋データが含まれてないこととなり、印刷紙Ｙに指紋データに基づく画像が形成されない。
したがって、本実施形態の複写機１によれば、機密保持の必要がある原稿（複写抑制原稿）に基づく画像を印刷紙Ｙに形成する場合には印刷紙Ｙに操作者の指紋に基づく画像を形成し、機密情報の必要がない原稿に基づく画像を印刷紙Ｙに形成する場合には印刷紙Ｙに操作者の指紋に基づく画像を形成しないようにすることができる。
このため、本実施形態の複写機１によれば、機密保持の必要がある原稿を複写した場合の印刷紙Ｙに対する管理意識を高めることができるとともに、機密保持の必要がない原稿の複写を容易に行うことができる。
【００３４】
また、本実施形態の複写機１においては、予め複写抑制データを記憶する記憶部４０を備え、制御部７０は、予め記憶部４０に記憶された複写抑制データと、画像読取部２０から出力される画像データとを比較し、当該画像データから出力される画像データに複写抑制データが含まれる場合に、原稿が複写抑制原稿であると判定する。
このため、原稿に、複写抑制データに基づく画像が形成されている場合には、確実に印刷紙Ｙに指紋に基づく画像を形成することができる。
【００３５】
また、本実施形態の複写機１においては、制御部７０は、原稿が複写抑制原稿であると判定して画像処理部５０において画像データと指紋データとが合成された後、あるいは、原稿が複写抑制原稿でないと判定した後、指紋データを消去する。
さらには、指紋データを消去した旨を示す表示をタッチパネル１１において行う。
このため、操作者に対して個人情報が消去されたことを伝えることができ、操作者に対して心理的な安心感を与えることができる。
なお、例えば、原稿が複写抑制原稿であると判定された場合のみは、指紋データを消去した旨を示す表示を行わない構成も可能である。このような構成を採用することによって、複写抑制原稿を複写した操作者に対して、自らの個人情報が複写機１内に保存されていると思わせ、さらに機密保持の必要がある原稿を複写した場合の印刷紙Ｙに対する管理意識を高めることができる。
【００３６】
また、本実施形態の複写機１においては、読み取った操作者の指紋の固有情報を抽出し、この固有情報を指紋データとして用いることもできる。このような場合には、指紋そのものの画像を処理する必要がなくなるため、制御部７０及び画像処理部５０の処理負担を低減させることができる。
【００３７】
また、本実施形態の複写機１においては、指紋読取部３０が備えるＣＣＤ３１が、スタートキー１２の直下に配置されている。
スタートキー１２は、原稿の複写を行う際に必ず操作者が操作する箇所であるため、本実施形態の複写機１によれば、確実に操作者の指紋を取得することが可能となる。
【００３８】
なお、本実施形態においては、図４に示すように、記録紙Ｙにおいて、画像読取部２０にて読み取られた画像データに基づく画像に、指紋データに基づく画像が重ねて形成されている。このため、指紋データによって、画像読取部２０にて読み取られた画像データの一部が欠落した状態となっている。
このため、本発明においては、画像読取部２０にて読み取られた画像データに基づく画像と指紋データとを、画像処理部５０にて合成する場合に、画像データに基づく画像と指紋データに基づく画像とが記録紙Ｙにおいて重ならないように、画像データと指紋データとを合成しても良い。
具体的には、例えば、画像データに基づく画像を縮小し、これによって空いたスペースに指紋データを形成する方法が考えられる（図５参照）。また、複写機１が両面印刷可能なものであり、かつ、画像データに基づく画像が印刷紙Ｙの表面のみに形成される場合には、指紋データに基づく画像が印刷紙の裏面に形成されるように、画像データと指紋データとを合成しても良い（図６参照）。
また、例えば、指紋データに基づく画像が記録紙Ｙの表面一杯に拡大され、画像データに基づく画像の背景となるように、画像データと指紋データとを合成しても良い（図７参照）。これによっても、画像データに基づく画像が指紋データに基づく画像によって隠れることを防止することができる。
【００３９】
以上、本発明の実施形態について図面を参照して詳説したが、具体的な構成は、上記実施形態に限定されるものではなく、本発明の要旨を逸脱しない範囲において設計変更等が可能である。
【００４０】
例えば、上記実施形態では、本発明の画像形成装置の一例として複写機を挙げて説明した。しかしながら、本発明はこれに限定されるものでなく、画像形成装置がファクシミリや複合機等に適用することができる。
【図面の簡単な説明】
【００４１】
【図１】本発明の一実施形態である複写機の機能構成を示すブロック図である。
【図２】本発明の一実施形態である複写機が備える操作表示パネルの外観を示す平面図である。
【図３】本発明の一実施形態である複写機の動作を説明するためのフローチャートである。
【図４】本発明の一実施形態である複写機の動作を説明するための説明図である。
【図５】本発明の一実施形態である複写機の変形例を説明するための説明図である。
【図６】本発明の一実施形態である複写機の変形例を説明するための説明図である。
【図７】本発明の一実施形態である複写機の変形例を説明するための説明図である。
【符号の説明】
【００４２】
１……複写機（画像形成装置）、１０……操作表示部、２０……画像読取部、３０……指紋読取部、３１……ＣＣＤ（撮像部）、３２……指紋データ作成部、４０……記憶部、５０……画像処理部、６０……印刷部、７０……制御部、Ｙ……印刷紙（記録媒体）
【図１】
2008172482.tif 000003
【図２】
2008172482.tif 000004
【図３】
2008172482.tif 000005
【図４】
2008172482.tif 000006
【図５】
2008172482.tif 000007
【図６】
2008172482.tif 000008
【図７】
2008172482.tif 000009